(57)【要約】      （修正有）【課題】ＥＩＡ又はＪＩＳに従って電子機器等の固定用雌ネジが設けられたラックにＥＩＡ機器を固定する場合の応用範囲が広くなる、ラック用のアタッチメントを提供する。【解決手段】ＥＩＡ規格に従って電子機器等の固定用雌ネジが設けられたラックの固定用雌ネジと、ＥＩＡ規格に従って固定用ねじ挿通部が設けられた、前記機器の取り付け部との間に配置される連結体２からなり、連結体２は上下方向の長さＬ１が１．７５インチの寸法であって、上下方向に１．２５インチの間隔Ｌ２をおいた二つのネジ挿通部４が上下方向に等位置に設けられ、Ｍ５ネジのネジピッチを有する二つの第一の雌ネジ１２及び二つの第一の雌ネジ１２からそれぞれ０．３７５インチの間隔Ｌ５をおいた、前記ネジピッチの第二の雌ネジ１３が設けられている。【選択図】図１
2006135273.tif 000002
【特許請求の範囲】
【請求項１】
電子機器その他各種の機器を固定するためにＥＩＡ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの寸法であって、前記固定用雌ネジとの対向側部分には、Ｍ５ネジのネジ部を挿通するための、上下方向に１．２５インチの間隔をおいた二つのネジ挿通部が上下方向に等位置に設けられ、前記取り付け部との対向側部分には、前記ネジ挿通部とそれぞれ同一の中心線上にあり且つ前記ネジ挿通部に挿通されたネジを駆動する工具のヘッド部を挿入可能なように貫通するとともにＭ５ネジのネジピッチを有する二つの第一の雌ネジ及び前記二つの第一の雌ネジからそれぞれ０．３７５インチの間隔をおいた、前記ネジピッチの第二の雌ネジが設けられていることを特徴とする、ラック用のアタッチメント。
【請求項２】
電子機器その他各種の機器を固定するためにＥＩＡ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの複数倍の寸法であって、前記固定用雌ネジとの対向側部分には、前記寸法内の各１．７５インチの長さの部分の中に、Ｍ５ネジのネジ部を挿通するための、上下方向に１．２５インチの間隔をおいた二つのネジ挿通部が上下方向に等位置にそれぞれ設けられ、前記取り付け部との対向側部分には、前記寸法内の各１．７５インチの長さの部分の中に、前記ネジ挿通部とそれぞれ同一の中心線上にあり且つ前記ネジ挿通部に挿通されたネジを駆動する工具のヘッド部を挿入可能なように貫通するとともにＭ５ネジのネジピッチを有する第一の雌ネジが設けられるとともに、前記第一の雌ネジからそれぞれ０．３７５インチの間隔をおいて、前記ネジピッチの第二の雌ネジが設けられていることを特徴とする、ラック用のアタッチメント。
【請求項３】
電子機器その他各種の機器を固定するためにＥＩＡ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの寸法であって、前記固定用雌ネジに対向するラック側部材と、前記取り付け部に対向する機器側部材と、前記ラック側部材と前記機器側部材との各対向面に結合させた振動吸収素材の中間部材とを備え、前記ラック側部材には、Ｍ５ネジのネジ部を挿通するための、上下方向に１．２５インチの間隔をおいた二つのネジ挿通部が上下方向に等位置に設けられ、前記機器側部材には、前記ネジ挿通部とそれぞれ同一の中心線上にあり且つ前記ネジ挿通部に挿通されたネジを駆動する工具のヘッド部を挿入可能なように貫通するとともにＭ５ネジのネジピッチを有する雌ネジが設けられ、前記中間部材は前記ネジ挿通部へのＭ５ネジの挿通及び前記ヘッド部の挿入を可能とする凹部を有することを特徴とする、ラック用のアタッチメント。
【請求項４】
前記連結体は、更に、前記ラック側部材及び前記機器側部材の各上面、各下面及び各側面を被覆する軟質素材のカバーを備えたことを特徴とする、請求項３に記載のラック用のアタッチメント。
【請求項５】
前記ネジ挿通部は、半円部分並びに前記半円部分に連なり前記ラック側部材の上端面及び下端面でそれぞれ開放する切欠であり、前記カバーは弾性素材からなり且つその上壁部及び下壁部には前記凹部と連なる開口がそれぞれ設けられ、前記開口の一部を形成し且つ前記ラック側部材の前記上端面及び下端面を覆う前記上壁部及び下壁部の一部は前記上端面及び下端面から離反可能としたことを特徴とする、請求項４に記載のラック用のアタッチメント。
【請求項６】
前記機器側部材の、前記各二つの雌ネジからそれぞれ０．３７５インチの間隔をおいて前記ネジピッチを有する別の雌ネジが設けられていることを特徴とする、請求項３，４又は５のいずれか一つに記載のラック用のアタッチメント。
【請求項７】
電子機器その他各種の機器を固定するためにＥＩＡ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの複数倍の寸法であって、前記固定用雌ネジに対向するラック側部材と、前記取り付け部に対向する機器側部材と、前記ラック側部材と前記機器側部材との各対向面に結合させた振動吸収素材の中間部材とを備え、前記ラック側部材には、前記寸法内の各１．７５インチの長さの部分の中に、Ｍ５ネジのネジ部を挿通するための、上下方向に１．２５インチの間隔をおいた二つ一組のネジ挿通部がそれぞれ上下方向に等位置に設けられ、前記機器側部材には、前記寸法内の各１．７５インチの長さの部分の中に、前記ネジ挿通部とそれぞれ同一の中心線上にあり且つ前記ネジ挿通部に挿通されたネジを駆動する工具のヘッド部を挿入可能なように貫通するとともにＭ５ネジのネジピッチを有する二つ一組の雌ネジがそれぞれ設けられ、前記中間部材は前記ネジ挿通部へのＭ５ネジの挿通及び前記ヘッド部の挿入を可能とする形状を有することを特徴とする、ラック用のアタッチメント。
【請求項８】
前記連結体は、更に、前記ラック側部材及び前記機器側部材の各上面、各下面及び各側面を被覆する軟質素材のカバーを備えていることを特徴とする請求項７に記載のラック用のアタッチメント。
【請求項９】
前記機器側部材の、前記各二つ一組の雌ネジからそれぞれ０．３７５インチの位置にＭ５ネジのネジピッチを有する別の雌ネジがそれぞれ設けられていることを特徴とする、請求項７又は８に記載のラック用のアタッチメント。
【請求項１０】
電子機器その他各種の機器を固定するためにＪＩＳ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は、上下方向の長さが１．７５インチの５倍の寸法であって、前記固定用雌ネジとの対向側部分には、前記連結体の上下方向のいずれかの一端から上下方向に０．２５インチ及び７．８７５インチの位置にＭ５ネジのネジ部を挿通するためのネジ挿通部がそれぞれ設けられ、前記取り付け部との対向側部分には、前記寸法内の各１．７５インチの長さの部分の中に、Ｍ５ネジのネジピッチを有し且つ上下方向に１．２５インチの間隔をおいた二つの第一の雌ネジがそれぞれ上下方向に等位置に、且つ、前記各第一の雌ネジからそれぞれ０．３７５インチの間隔をおいて前記ネジピッチを有する第二の雌ネジが、設けられ、前記連結体の、最上部側の第一の雌ネジ及び最下部側の第一の雌ネジに隣接する第二の雌ネジ、又は、最下部側の第一の雌ネジ及び最上部側の第一の雌ネジに隣接する第二の雌ネジは、前記ネジ挿通部とそれぞれ同一の中心線上にあり且つ前記ネジ挿通部に挿通されるＭ５ネジを駆動する工具のヘッド部を挿入可能なように貫通させたことを特徴とする、ラック用のアタッチメント。
【請求項１１】
電子機器その他各種の機器を固定するためにＪＩＳ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの５倍の寸法であって、前記固定用雌ネジに対向するラック側部材と、前記取り付け部に対向する機器側部材と、前記ラック側部材と前記機器側部材との各対向面に結合させた振動吸収素材の中間部材とを備え、前記ラック側部材には、その上下方向のいずれかの一端から上下方向に０．２５インチ及び７．８７５インチの位置にＭ５ネジのネジ部を挿通するためのネジ挿通部がそれぞれ設けられ、前記機器側部材には、前記寸法内の各１．７５インチの長さの部分の中に、Ｍ５ネジのネジピッチを有し且つ上下方向に１．２５インチの間隔をおいた二つの第一の雌ネジがそれぞれ上下方向に等位置に、且つ、前記各第一の雌ネジからそれぞれ０．３７５インチの位置に前記ネジピッチを有する第二の雌ネジが、設けられ、前記機器側部材の、最上部側の第一の雌ネジ及び最下部側の第一の雌ネジに隣接する第二の雌ネジ、又は、最下部側の第一の雌ネジ及び最上部側の第一の雌ネジに隣接する第二の雌ネジは、前記ネジ挿通部とそれぞれ同一の中心線上にあり且つ前記ネジ挿通部に挿通されたネジを駆動する工具のヘッド部を挿入可能なように貫通させ、前記中間部材は前記ネジ挿通部へのＭ５ネジの挿通及び前記ヘッド部の挿入を可能とする凹部を有することを特徴とする、ラック用のアタッチメント。
【請求項１２】
前記連結体は、更に、前記ラック側部材及び前記機器側部材の各上面、各下面及び各側面を被覆する軟質素材のカバーを備えたことを特徴とする、請求項１１に記載のラック用のアタッチメント。
【発明の詳細な説明】
【００１】
【００２】
【技術分野】
【００３】  本発明は電子機器等を固定するラック用のアタッチメントに関する。
【背景技術】
【００４】
【００５】  各種の電子・電気機器等を使用する場合に、これらを損傷から保護したり、使用う目的に沿った数種の機器を一カ所にまとめる等のために、前記機器を固定、収容するラックがしばしば利用されている。例えば、スタジオ、舞台等における音楽演奏、演劇の上演等を聴衆、観衆等に広く伝達したり、収録したりする場合、これらをマイクロホン、ビデオカメラ等によって音声、映像として収集し、増幅器その他の各種の電子機器等により前記音声等を目的に合わせて処理、加工して、拡声器、プロジェクターによって聴衆等に提供し、或いは、必要に応じて所望の収録機器、例えば録音機、録画機に入力するということが行われている。そのような場合、前記の機器は、通常複数種類のものが同時に用意されるので、操作者の取り扱いに便利なように、また、ケーブルの接続に伴う配線上のトラブル等を防止するために、前記機器を相応のラックに固定して収容した状態で使用するのが普通である。【００６】  そのような目的に使用されるラックとしては、機器の取り付けネジの位置が、ＥＩＡ（米国電子工業会）の規格によって定められたもの（以下、「ＥＩＡラック」という）又はＪＩＳ（日本標準規格）によって定められたもの（以下、「ＪＩＳラック」という）とが提供されている。また、これに応じて、機器についても、ラックへの固定用の取り付け部におけるネジ穴又はスリットの位置が、ＥＩＡ規格によってＥＩＡラックに固定するように定められたもの（以下、「ＥＩＡ機器」という）と、ＪＩＳによってＪＩＳラックに固定するように定められたもの（以下、「ＪＩＳ機器」という）とがある。【００７】  具体的に説明すると、図２８に示すように、ＥＩＡラック３０１においては、ラック本体３０２の左右（図には左側のみを示す）に上下方向（本明細書において、「上下方向」と「縦方向」、「左右方向」と「横方向」は当該ラックを垂直に立てて使用する状態を見た場合の方向をいい、それぞれ同一の意味である。）に取り付けられたマウントレール３０３に、それぞれ、ＥＩＡ機器の固定用雌ネジ３０４が複数個設けられている。その配置は、１．２５インチ（３１．７５ｍｍ）の間隔Ｌ２１で配置された２つ一組の固定用雌ネジ３０４（このような配置をワイドピッチという）を０．５インチ（１２．７ｍｍ）の間隔Ｌ２２をおいて、通常は複数組の固定用雌ネジ３０４を規則的に上下方向に繰り返して設けるようにしたものである。二つ一組の固定用雌ネジ３０４のみを備えたＥＩＡラックもある。このような固定用雌ネジ３０４のネジピッチはＭ５ネジのネジピッチと定められている。【００８】  ＥＩＡ機器については、同図に示すように、ＥＩＡ機器３１２の機器本体３１２Ａに設けられた取り付け部３１２Ｂに、前記二つ一組の固定用雌ネジ３０４の間隔Ｌ２１に対応させた、１．２５インチの間隔Ｌ２３の二つのネジ穴３１４（スリット状に形成されたものもある）が設けられている。ＥＩＡ機器３１２は、Ｍ５ネジをこのネジ穴３１４に挿通しＥＩＡラック３０１の固定用雌ネジ３０４に螺合させることにより、ＥＩＡラック３０１に固定される。また、ＥＩＡ機器３１２従ってその取り付け部３１２Ｂも、ＥＩＡラック３０１の固定用雌ネジ３０４の配置に対応して、そ���最小縦幅Ｌ２４が前記間隔Ｌ２１と間隔Ｌ２２の半分の倍との和である１．７５インチ（４４．４５ｍｍ）に定められており、この幅を１Ｕと呼称して、１Ｕ又はその複数倍の幅のＥＩＡ機器が広く提供されている。従って、ＥＩＡ機器３１２は同図に示すように、ＥＩＡラック３０１に前記固定用雌ネジ３０４を利用して１Ｕの幅を最小単位として固定される。そのため、ＥＩＡラック３０１に取り付けるＥＩＡ機器３１２が少ないとき又は必要上特にＥＩＡ機器同士３１２の間に空間を設けたいときは、ＥＩＡ機器３１２同士の間に又はＥＩＡ機器３１２とＥＩＡラック３０１の上端又は下端との間に上下方向に１Ｕの間隙Ｓ又はその複数倍の間隙が形成される。なお、同図において示したように、前記間隔Ｌ２１の中間点に更にもう一つの固定用雌ネジ３０６を設けたユニバーサルピッチのＥＩＡラックもあるが、このようなＥＩＡラックも前記二つ一組の固定用雌ネジ３０４が前記間隔Ｌ２１で配置されていることには変わりないから、本発明のアタッチメントの使用対象としてのＥＩＡラックに包含される。【００９】  一方、図２９に示すように、ＪＩＳラック４０１については、そのラック本体４０２の左右（図には左側のみを示す）に上下方向に取り付けられたマウントレール４０３に、それぞれ、ＪＩＳ機器（図示せず）の固定用雌ネジ４０４が５０ｍｍの間隔Ｌ３０で等間隔に複数個設けられている。ＪＩＳ機器の固定に使用するネジ及びそのネジピッチについてはＥＩＡラックの場合と同じである。ＪＩＳ機器の取り付け部（図示せず）にはこの間隔Ｌ３０に対応させたネジ穴又はスリットが設けられている。
【発明の開示】
【発明が解決しようとする課題】
【００１０】
【００１１】
【００１２】  このような規格に従ってＥＩＡラック３０１にＥＩＡ機器３１２を固定する場合、次のような問題があった。即ち、前述のような固定用雌ネジ３０４の配置関係から、ＥＩＡラック３０１に固定できるＥＩＡ機器３１２は、その縦幅即ち高さが１Ｕ又はその複数倍に設定したものに限定されており、且つ、ＥＩＡラック３０１への固定態様としてもそのような縦幅のものを単に上下に並べて固定せざるを得ないため、ＥＩＡラック３０１及びＥＩＡ機器３１２の使い勝手としては極めて制約され、また、ＥＩＡラック３０１にＥＩＡ機器３１２を固定した場合に生ずることのある前記のような間隙の幅が最小でも１ＵとなってＥＩＡラック３０１内のデッドスペースが大きくなる、という問題があった。また、従来、ＥＩＡラック３０１にＥＩＡ機器３１２を固定した後、何らかの原因によってＥＩＡラック３０１に衝撃、振動が加わった場合、その影響を受けてＥＩＡ機器３１２の動作が不安定になったり、ノイズが発生したりする、という問題もあった。一方、ＪＩＳラックに関して言えば、前述の固定用雌ネジ４０４の配置から、ＥＩＡ機器３１２を固定することができないので、ＪＩＳラックの所有者は、ＪＩＳ機器より広く普及し、使用されているといわれるＥＩＡ機器を利用することができず不便である、という問題があった。【００１３】  本発明は、前述のような問題に鑑みてなされたもので、その目的とするところは次の通りである。第一に、ＥＩＡラックにＥＩＡ機器を固定する場合の応用範囲が広くなってＥＩＡラックの有効利用を図ることのできる、ＥＩＡラック用のアタッチメントを提供することを目的とする。第二に、本発明は、ＥＩＡラックにＥＩＡ機器を固定する際の作業性がよく、且つ、ＥＩＡラックのより有効な利用及びＥＩＡ機器の応用範囲の拡大を図ることができるＥＩＡラック用のアタッチメントを提供することを目的とする。第三に、本発明は、ＥＩＡラックにＥＩＡ機器を固定した状態で、前記ＥＩＡラックに加えられた衝撃、振動によるＥＩＡ機器の誤動作等をより確実に防止できる、ＥＩＡラック用のアタッチメントを提供することを目的とする。第四に、本発明は、前記第三の目的に加えて、衝撃、振動に対する吸収効果がより高く、取り付けた状態の美観に優れた、ＥＩＡラック用のアタッチメントを提供することを目的とする。第五に、本発明は、前記第四の目的に加えて、ＥＩＡラックへの固定用ネジの取り扱い性従って作業効率がよい、ＥＩＡラック用のアタッチメントを提供することを目的とする。第六に、本発明は、前記第三、第四又は第五の目的に加えて、ＥＩＡラックのより有効な利用及びＥＩＡ機器の応用範囲の拡大を図ることができる、ＥＩＡラック用のアタッチメントを提供することを目的とする。第七に、本発明は、ＥＩＡラックに取り付ける場合の作業性がよく、且つ、衝撃、振動によるＥＩＡ機器の誤動作等が防止される、ＥＩＡラック用のアタッチメントを提供することを目的とする。第八に、本発明は、前記第七の目的に加えて、衝撃、振動に対する吸収効果がより高く、取り付けた状態の美観に優れた、ＥＩＡラック用のアタッチメントを提供することを目的とする。第九に、本発明は、前記第七又は第八の目的に加えて、��ＩＡラックのより有効な利用及びＥＩＡ機器の応用範囲の拡大を図ることができる、ＥＩＡラック用のアタッチメントを提供することを目的とする。第十に、本発明は、ＥＩＡ機器をＪＩＳラックに固定して使用することができ、且つ、ＪＩＳラックのより有効な利用及びＥＩＡ機器の応用範囲の拡大を図ることができる、ＪＩＳラック用のアタッチメントを提供することを目的とする。第十一に、本発明は、ＥＩＡ機器をＪＩＳラックに固定して使用することができ、衝撃、振動によるＥＩＡ機器の動作支障を来さず、且つ、ＪＩＳラックのより有効な利用及びＥＩＡ機器の応用範囲の拡大を図ることができる、ＪＩＳラック用のアタッチメントを提供することを目的とする。そして、第十二に、本発明は、前記第十一の目的に加えて、衝撃、振動に対する吸収効果がより高く、取り付けた状態の美観に優れた、ＪＩＳラック用のアタッチメントを提供することを目的とする。
【課題を解決するための手段】
【００１４】
【００１５】  前記の目的を達成するために、本発明は、次のように構成したことを特徴とする。請求項１に係る発明のラック用のアタッチメントは、電子機器その他各種の機器を固定するためにＥＩＡ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの寸法であって、前記固定用雌ネジとの対向側部分には、Ｍ５ネジのネジ部を挿通するための、上下方向に１．２５インチの間隔をおいた二つのネジ挿通部が上下方向に等位置に設けられ、前記取り付け部との対向側部分には、前記ネジ挿通部とそれぞれ同一の中心線上にあり且つ前記ネジ挿通部に挿通されたネジを駆動する工具のヘッド部を挿入可能なように貫通するとともにＭ５ネジのネジピッチを有する二つの第一の雌ネジ及び前記二つの第一の雌ネジからそれぞれ０．３７５インチの間隔をおいた、前記ネジピッチの第二の雌ネジが設けられていることを特徴とする。【００１６】  請求項２に係る発明のラック用のアタッチメントは、電子機器その他各種の機器を固定するためにＥＩＡ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの複数倍の寸法であって、前記固定用雌ネジとの対向側部分には、前記寸法内の各１．７５インチの長さの部分の中に、Ｍ５ネジのネジ部を挿通するための、上下方向に１．２５インチの間隔をおいた二つのネジ挿通部が上下方向に等位置にそれぞれ設けられ、前記取り付け部との対向側部分には、前記寸法内の各１．７５インチの長さの部分の中に、前記ネジ挿通部とそれぞれ同一の中心線上にあり且つ前記ネジ挿通部に挿通されたネジを駆動する工具のヘッド部を挿入可能なように貫通するとともにＭ５ネジのネジピッチを有する第一の雌ネジが設けられるとともに、前記第一の雌ネジからそれぞれ０．３７５インチの間隔をおいて、前記ネジピッチの第二の雌ネジが設けられていることを特徴とする。【００１７】  請求項３に係る発明のラック用のアタッチメントは、電子機器その他各種の機器を固定するためにＥＩＡ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、  前記連結体は上下方向の長さが１．７５インチの寸法であって、前記固定用雌ネジに対向するラック側部材と、前記取り付け部に対向する機器側部材と、前記ラック側部材と前記機器側部材との各対向面に結合させた振動吸収素材の中間部材とを備え、前記ラック側部材には、Ｍ５ネジのネジ部を挿通するための、上下方向に１．２５インチの間隔をおいた二つのネジ挿通部が上下方向に等位置に設けられ、前記機器側部材には、前記ネジ挿通部とそれぞれ同一の中心線上にあり且つ前記ネジ挿通部に挿通されたネジを駆動する工具のヘッド部を挿入可能なように貫通するとともにＭ５ネジのネジピッチを有する雌ネジが設けられ���前記中間部材は前記ネジ挿通部へのＭ５ネジの挿通及び前記ヘッド部の挿入を可能とする凹部を有することを特徴とする。【００１８】  請求項４に係る発明のラック用のアタッチメントは、請求項３に記載のラック用のアタッチメントにおいて、前記連結体は、更に、前記ラック側部材及び前記機器側部材の各上面、各下面及び各側面を被覆する軟質素材のカバーを備えたことを特徴とする。【００１９】  請求項５に係る発明のラック用のアタッチメントは、請求項４に記載のラック用のアタッチメントにおいて、前記ネジ挿通部は、半円部分並びに前記半円部分に連なり前記ラック側部材の上端面及び下端面でそれぞれ開放する切欠であり、前記カバーは弾性素材からなり且つその上壁部及び下壁部には前記凹部と連なる開口がそれぞれ設けられ、前記開口の一部を形成し且つ前記ラック側部材の前記上端面及び下端面を覆う前記上壁部及び下壁部の一部は前記上端面及び下端面から離反可能としたことを特徴とする。【００２０】  請求項６に係る発明のラック用のアタッチメントは、請求項３，４又は５のいずれかに記載のラック用のアタッチメントにおいて、前記機器側部材の、前記各二つの雌ネジからそれぞれ０．３７５インチの間隔をおいて前記ネジピッチを有する別の雌ネジが設けられていることを特徴とする。【００２１】  請求項７に係る発明のラック用のアタッチメントは、電子機器その他各種の機器を固定するためにＥＩＡ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの複数倍の寸法であって、前記固定用雌ネジに対向するラック側部材と、前記取り付け部に対向する機器側部材と、前記ラック側部材と前記機器側部材との各対向面に結合させた振動吸収素材の中間部材とを備え、前記ラック側部材には、前記寸法内の各１．７５インチの長さの部分の中に、Ｍ５ネジのネジ部を挿通するための、上下方向に１．２５インチの間隔をおいた二つ一組のネジ挿通部がそれぞれ上下方向に等位置に設けられ、前記機器側部材には、前記寸法内の各１．７５インチの長さの部分の中に、前記ネジ挿通部とそれぞれ同一の中心線上にあり且つ前記ネジ挿通部に挿通されたネジを駆動する工具のヘッド部を挿入可能なように貫通するとともにＭ５ネジのネジピッチを有する二つ一組の雌ネジがそれぞれ設けられ、前記中間部材は前記ネジ挿通部へのＭ５ネジの挿通及び前記ヘッド部の挿入を可能とする形状を有することを特徴とする。【００２２】  請求項８に係る発明のラック用のアタッチメントは、請求項７に記載のラック用のアタッチメントにおいて、前記連結体は、更に、前記ラック側部材及び前記機器側部材の各上面、各下面及び各側面を被覆する軟質素材のカバーを備えていることを特徴とする。【００２３】  請求項９に係る発明のラック用のアタッチメントは、請求項７又は８記載のラック用のアタッチメントにおいて、前記機器側部材の、前記各二つ一組の雌ネジからそれぞれ０．３７５インチの位置にＭ５ネジのネジピッチを有する別の雌ネジがそれぞれ設けられていることを特徴とする。【００２���】  請求項１０に係る発明のラック用のアタッチメントは、電子機器その他各種の機器を固定するためにＪＩＳ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は、上下方向の長さが１．７５インチの５倍の寸法であって、前記固定用雌ネジとの対向側部分には、前記連結体の上下方向のいずれかの一端から上下方向に０．２５インチ及び７．８７５インチの位置にＭ５ネジのネジ部を挿通するためのネジ挿通部がそれぞれ設けられ、前記取り付け部との対向側部分には、前記寸法内の各１．７５インチの長さの部分の中に、Ｍ５ネジのネジピッチを有し且つ上下方向に１．２５インチの間隔をおいた二つの第一の雌ネジがそれぞれ上下方向に等位置に、且つ、前記各第一の雌ネジからそれぞれ０．３７５インチの間隔をおいて前記ネジピッチを有する第二の雌ネジが、設けられ、前記連結体の、最上部側の第一の雌ネジ及び最下部側の第一の雌ネジに隣接する第二の雌ネジ、又は、最下部側の第一の雌ネジ及び最上部側の第一の雌ネジに隣接する第二の雌ネジは、前記ネジ挿通部とそれぞれ同一の中心線上にあり且つ前記ネジ挿通部に挿通されたＭ５ネジを駆動する工具のヘッド部を挿入可能なように貫通させたことを特徴とする。【００２５】  請求項１１に係る発明のラック用のアタッチメントは、電子機器その他各種の機器を固定するためにＪＩＳ規格に従って前記機器の固定用雌ネジが設けられたラックの前記固定用雌ネジと、ＥＩＡ規格に従って固定用ねじ挿通部が設けられた、前記機器の取り付け部との間に配置される連結体からなり、前記連結体は上下方向の長さが１．７５インチの５倍の寸法であって、前記固定用雌ネジに対向するラック側部材と、前記取り付け部に対向する機器側部材と、前記ラック側部材と前記機器側部材との各対向面に結合させた振動吸収素材の中間部材とを備え、前記ラック側部材には、その上下方向のいずれかの一端から上下方向に０．２５インチ及び７．８７５インチの位置にＭ５ネジのネジ部を挿通するためのネジ挿通部がそれぞれ設けられ、前記機器側部材には、前記寸法内の各１．７５インチの長さの部分の中に、Ｍ５ネジのネジピッチを有し且つ上下方向に１．２５インチの間隔をおいた二つの第一の雌ネジがそれぞれ上下方向に等位置に、且つ、前記各第一の雌ネジからそれぞれ０．３７５インチの位置に前記ネジピッチを有する第二の雌ネジが、設けられ、前記機器側部材の、最上部側の第一の雌ネジ及び最下部側の第一の雌ネジに隣接する第二の雌ネジ、又は、最下部側の第一の雌ネジ及び最上部側の第一の雌ネジに隣接する第二の雌ネジは、前記ネジ挿通部とそれぞれ同一の中心線上にあり且つ前記ネジ挿通部に挿通されたネジを駆動する工具のヘッド部を挿入可能なように貫通させ、前記中間部材は前記ネジ挿通部へのＭ５ネジの挿通及び前記ヘッド部の挿入を可能とする凹部を有することを特徴とする。【００２６】  請求項１２に係る発明のラック用のアタッチメントは、請求項１１に記載のラック用のアタッチメントにおいて、前記連結体は、更に、前記ラック側部材及び前記機器側部材の各上面、���下面及び各側面を被覆する軟質素材のカバーを備えたことを特徴とする。
【発明の効果】
【００２７】
【００２８】  請求項１の発明によれば、前記の特徴によって、ＥＩＡラックにＥＩＡ機器を固定する場合の応用範囲が広くなってＥＩＡラックの有効利用を図ることのできる、ＥＩＡラック用のアタッチメントを提供できるという効果を奏する。【００２９】  請求項２の発明によれば、前記の特徴によって、ＥＩＡラックにＥＩＡ機器を固定する際の作業性がよく、且つ、ＥＩＡラックのより有効な利用及びＥＩＡ機器の応用範囲の拡大を図ることができる、ＥＩＡラック用のアタッチメントを提供できるという効果を奏する。【００３０】  請求項３の発明によれば、前記の特徴によって、ＥＩＡラックにＥＩＡ機器を固定した状態で、前記ＥＩＡラックに加えられた衝撃、振動によるＥＩＡ機器の誤動作等をより確実に防止できる、ＥＩＡラック用のアタッチメントを提供できるという効果を奏する。【００３１】  請求項４の発明によれば、前記の特徴によって、請求項３の発明の効果に加えて、衝撃、振動に対する吸収効果がより高く、取り付けた状態の美観に優れた、ＥＩＡラック用のアタッチメントを提供できるという効果を奏する。【００３２】  請求項５の発明によれば、前記の特徴によって、請求項４の発明の効果に加えて、ＥＩＡラックへの固定用ネジの取り扱い性従って作業効率がよい、ＥＩＡラック用のアタッチメントを提供できるという効果を奏する。【００３３】  請求項６の発明によれば、前記の特徴によって、請求項３，４又は５の発明の効果に加えて、ＥＩＡラックのより有効な利用及びＥＩＡ機器の応用範囲の拡大を図ることができる、ＥＩＡラック用のアタッチメントを提供できるという効果を奏する。【００３４】  請求項７の発明によれば、ＥＩＡラックに取り付ける場合の作業性がよく、且つ、衝撃、振動によるＥＩＡ機器の誤動作等が防止される、ＥＩＡラック用のアタッチメントを提供できるという効果を奏する。【００３５】  請求項８の発明によれば、前記の特徴によって、請求項７の発明の効果に加えて、衝撃、振動に対する吸収効果がより高く、取り付けた状態の美観に優れた、ＥＩＡラック用のアタッチメントを提供できるという効果を奏する。【００３６】  請求項９の発明によれば、前記の特徴によって、請求項７又は８の発明の効果に加えて、ＥＩＡラックのより有効な利用及びＥＩＡ機器の応用範囲の拡大を図ることができる、ＥＩＡラック用のアタッチメントを提供できるという効果を奏する。【００３７】  請求項１０の発明によれば、前記の特徴によって、ＥＩＡ機器をＪＩＳラックに固定して使用することができ、且つ、ＪＩＳラックのより有効な利用及びＥＩＡ機器の応用範囲の拡大を図ることができる、ＪＩＳラック用のアタッチメントを提供できるという効果を奏する。【００３８】  請求項１１の発明によれば、前記の特徴によって、ＥＩＡ機器をＪＩＳラックに固定して使用することができ、衝撃、振動によるＥＩＡ機器の動作支障を来さず、且つ、ＪＩＳラックのより有効な利用及びＥＩＡ機器の応用範囲の拡大を図ることができる、ＪＩＳラック用のアタッチメントを提供できるという効果を奏する。【００３９】  請求項１２の発明によれば、前記の特徴によって、請求項７の発明の効果に加えて、衝撃、振動に対する吸収効果がより高く、取り付けた状態の美観に優れた、ＪＩＳラック用のアタッチメントを提供できるという効果を奏する。
【発明を実施するための最良の形態】
【００４０】
【００４１】  以下、本発明を実施するための最良の形態について説明する。図面はいずれも本発明の理解のために概念的に描いたもので、必ずしも実際の製品としてのアタッチメントにおける各部の寸法、比率等を全て忠実に再現したものではないことに注意されたい。また、各実施の形態間で同様の要素については、同一の符号を付し、適宜、説明を省略するものとする。
【発明の実施の形態１】
【００４２】
【００４３】  本発明の実施の形態１について、図１から図４を参照しながら、説明する。図１、図２は本発明の実施の形態１におけるアタッチメントを示し、図１（Ａ）は正面図、（Ｂ）は側面図、（Ｃ）は背面図、（Ｄ）は（Ａ）中のＤ−Ｄ線断面図、図２の（Ａ）は図１（Ｂ）中のＩＩＡ−ＩＩＡ線断面図、（Ｂ）は平面図、図３は前記アタッチメントの使用状態を示す断面図、図４は前記アタッチメントとＥＩＡ機器との配置関係を示す正面図である。
【００４４】  図に示すように、符号１によって示されるＥＩＡラック用のアタッチメントは、前述のようなＥＩＡラックにおける固定用雌ネジと、ＥＩＡ機器の取り付け部との間に配置される連結体２からなっている。  連結体２は、棒状且つ横断面が矩形であり（他の実施の形態についても同じ）、前記ＥＩＡラックに固定されるＥＩＡ機器の重量に対して、剛性及び耐荷重性が大きく、変形しない硬質の素材、例えば金属又は合成樹脂からなり、一つの素材から一体成形し又は別種の素材を組み合わせる等の方法により構成することができ、上下方向の長さＬ１が１．７５インチ（４４．４５ｍｍ。以下、「単位長さ」という）の寸法に設定されている。この寸法はＥＩＡ機器の１Ｕの幅と同寸法である。
【００４５】  連結体２の上部及び下部には凹部３がそれぞれ形成されている。この凹部３は、後述するネジ挿通部４に挿通されるＭ５ネジのネジ頭が上下方向に移動でき且つネジ挿通部４の後述する半円部分にＭ５ネジが円滑に挿通されるように、形成されており、例えば、Ｍ５ネジのネジ頭の直径以上の直径の半円部分３Ａとこれに連なる直線部分３Ｂとからなる形状を有している。その場合、この半円部分３Ａの直径は、前記ネジ頭の直径とほぼ等しく設定すると、後述するように凹部３に装入したＭ５ネジの抜け落ち防止がより確実になる。また、凹部３は連結体２の上端部２Ａ及び下端部２Ｂで開放している。
【００４６】  連結体２の、前記固定用雌ネジとの対向側部分２Ｃには、固定用雌ネジに螺合させるＭ５ネジのネジ部を挿通するための、図１の（Ｃ）に示すように、上下方向に１．２５インチ（３１．７５ｍｍ）の間隔Ｌ２をおいた二つのネジ挿通部４が等位置に設けられている。この間隔Ｌ２は、一つの単位長さＬ１の中での二つのネジ挿通部間の間隔として、後述する実施の形態２から６のネジ挿通部についても同様に設定されるため、実施の形態２から６におけるネジ挿通部について、このような間隔に関しての記載は、原則として、省略する。また、ここにいう「等位置」とは、各ネジ挿通部４と前記単位長さＬ１の上下端との各距離Ｌ３（０．２５インチ）が等しいことをいう。実施の形態２から６における「等位置」も同様である。
【００４７】  ネジ挿通部４は、Ｍ５ネジのネジ部の直径より若干大きな直径の半円部分４Ａとこれに連なって縦方向に延び連結体２の上端部２Ａ及び下端部２Ｂでそれぞれ開放する切欠４Ｂとからなっている。このネジ挿通部４は、前述のような形状ではなくＭ５ネジのネジ部を円滑に通す直径の丸穴その他によって構成してもよい（実施の形態２から９についても同様である）。
【００４８】  一方、連結体２の、前記取り付け部との対向側部分２Ｄには、Ｍ５ネジのネジピッチを有する二つの第一の雌ネジ１２及び同様に前記ネジピッチを有する第二の雌ネジ１３が設けられている。第一の雌ネジ１２は、ネジ挿通部４と同一の中心線上にあり、従ってこの雌ネジ１２同士の間隔Ｌ４は、ネジ挿通部４同士の間隔Ｌ２と同じく１．２５インチである。従って、ふたつの第一の雌ネジ１２と連結体２上端部２Ａ及び下端部２Ｂとの各距離Ｌ６は０．２５インチ（６．３５ｍｍ）となる。また、第一の雌ネジ１２は、図１（Ｄ）に示すように、ネジ挿通部４に挿通したＭ５ネジを回す工具例えばドライバのヘッド部を出し入れできるように前記凹部３まで貫通させてある。
【００４９】  第二の雌ネジ１３は、二つの第一の雌ネジ１２からそれぞれ０．３７５インチ（９．５３ｍｍ）の距離Ｌ５の位置にそれぞれ設けられている。第二の雌ネジ１３は、図１（Ｄ）に示すように、必要に応じて、連結体２の内部まで延びており、その長さはＥＩＡ機器の取り付け部に挿通されるＭ５ネジに対応して設定される（後述する実施の形態２、７についても同様である）。
【００５０】  前述したような、単位長さＬ１の中での、第一の雌ネジの構成、配置及びネジ挿通部との関係、並びに、第二の雌ネジの構成、配置及び第一の雌ネジとの関係、は他の実施の形態における同様な要素についても同様である。
【００５１】  このように構成したアタッチメント１は、ＥＩＡ機器をＥＩＡラックに固定する際に、ＥＩＡラックの左右毎に一つずつ用意して即ち二つ一組で使用するが、以下においては、ＥＩＡラックの左側に取り付ける状態についてのみ説明する（後述する実施の形態においても同じ）。アタッチメント１の使用方法は例えば次の通りである。まず、二つのネジ挿通部４の位置をＥＩＡラックにおける二つ一組の固定用雌ネジの位置に合わせ、次いで、図１（Ｄ）に示すように、用意したＭ５ネジ１４のネジ部１４Ａを，ネジ挿通部４の切欠４Ｂに斜めに通しながら、ネジ頭１４Ｂを凹部３内に入れてゆき、ネジ部１４Ａを凹部３内で横にした状態にし、第一の雌ネジ１２に差し込んだドライバ１９のヘッド部１９ＡでＭ５ネジ１４を固定用雌ネジに螺合させて締めることにより、アタッチメント１をＥＩＡラックに取り付ける。ドライバをこのように使用してアタッチメントをＥＩＡラックに取り付ける方法は、後述する実施の形態においても同様である。
【００５２】  図３はこのようにして、二つのアタッチメント１を隣接させてＥＩＡラックのマウントレール３０３に取り付けた状態を示している。ここで、アタッチメント１は、ネジ挿通部４同士の間隔Ｌ２が１．２５インチであるから、ＥＩＡラックにおけるＥＩＡ機器の取付位置即ち固定用雌ネジ同士の間隔１．２５インチに対応し、且つ、アタッチメント１の第一の雌ネジ１２同士の間隔Ｌ４も同様に１．２５インチであるから、図２中鎖線で示すように、アタッチメント１の第一の雌ネジ１２のみを使用してＥＩＡ機器を固定することができる。
【００５３】  これに対して、図４（図３も参照）に示すように、ＥＩＡラックにおける隣接した二つ一組の固定用雌ネジに、別に用意した少なくとも一つ以上のアタッチメント１を隣接させて取り付けたとき（図４においては、アタッチメント１とＥＩＡ機器の位置関係をわかりやすくするために、ＥＩＡ機器はアタッチメント１から右方に離した状態が描かれている）には、次のような利点が生まれる。即ち、図中上側のアタッチメント１（Ａ）における下側の第二の雌ネジ１３（Ａ）と下側のアタッチメント１（Ｂ）における上側の第二の雌ネジ１３（Ｂ）との距離Ｌ８は図１のＡ）で述べた寸法関係（０．３７５インチ＋０．２５インチ＋０．２５インチ＋０．３７５インチ）から１．２５インチとなるから、この距離にあるこれらの第二の雌ネジ１３と１Ｕの幅のＥＩＡ機器の取り付け部のネジ穴の位置とが合致し、従って、図３に示すように、その位置で、ＥＩＡ機器３１２の取り付け部３１２Ｂを、隣接する二つのアタッチメント１（Ａ），１（Ｂ）にまたがって固定することができる。そうすると、この場合、図４に示すように、ＥＩＡ機器３１２の取り付け部３１２Ｂの上端Ａと上側のアタッチメント１（Ａ）の上端との距離Ｌ９は１．７５インチｍｍの半分で１Ｕの半分に当たるから、例えば、図３のように上側のアタッチメント１（Ａ）がＥＩＡラック３０１の上端部側に寄せて固定されていれば、固定したＥＩＡ機器３１２とＥＩＡラック３０１の上端部側との間に、従来は存在し得なかった０．５Ｕに相当する間隙Ｓ１が形成されることになる。また、このアタッチメント１を二つではなく更に多く使用した場合に、前述のような配置関係で設けられた第一の雌ネジ１２及び第二の雌ネジ１３を適宜選択してＥＩＡ機器の取り付け部を固定することにより、ＥＩＡ機器同士の間に０．５Ｕの複数倍の間隙を形成することもできる。
【００５４】  これは、そのような幅の間隙ができることによって、図４中のＥＩＡ機器３１３のように、最小で０．５Ｕの縦幅をもった新たなＥＩＡ機器の製作、使用が可能となるということを意味する。例えば、各種の電子機器において、回路基板における集積化は依然進行中であるから、従来１ＵのＥＩＡ機器に納められていた回路機能を０．５Ｕの縦幅内に納めて半分に薄型化した新たなＥＩＡ機器の設計、商品化をすることにより、同一サイズのＥＩＡラックに従来よりも多機能、多種類、多数のＥＩＡ機器を固定して、従来にない、より多様な形で使用することも可能となる。同様にして、図４中のＥＩＡ機器３１４のように、０．５Ｕの複数倍、例えば１．５Ｕの縦幅をもった新たなＥＩＡ機器の実現、使用も可能となる。また、従来、ＥＩＡ機器同士の間、又はＥＩＡ機器とＥＩＡラックとの間に通風等のために設けた１Ｕ又はその複数倍の間隙を塞ぐために１Ｕ又はその複数倍の高さの飾り板をＥＩＡラックの固定用雌ネジを利用してＥＩＡラックに固定していたが、本発明によれば、そのようにして生じる間隙は最小で０．５Ｕとなるので、図２に示すような０．５Ｕの高さの飾り板３１５又はその複数倍の高さの飾り板を用意することにより、従来より柔軟に間隙の調整、設定をすることができる。従って、このアタッチメント１を使用することによって、ＥＩＡラックのより有効な利用及びＥＩＡ機器の応用範囲の拡大を図ることができる。なお、このアタッチメント１は、後述する他の実施の形態２から６におけるアタッチメントと併用して使用することも、もちろん可能である。
【発明の実施の形態２】
【００５５】
【００５６】  本発明の実施の形態２について図５から図７を参照しながら、説明する。図は本発明の実施の形態２におけるアタッチメントを示し、図５の（Ａ）は正面図、（Ｂ）は側面図、図６の（Ａ）は背面図、（Ｂ）は図５（Ａ）中のＶＩＢ−ＶＩＢ線断面図、図７は図５（Ｂ）中のＶＩＩ−ＶＩＩ線断面図である。このアタッチメントの平面図は図２（Ｂ）と同一に現れるから、省略する。
【００５７】  図５に示すように、実施の形態２におけるアタッチメント３１は、前述のようなＥＩＡラックの固定用雌ネジと、ＥＩＡ機器の取り付け部との間に配置される連結体３２からなっている。  連結体３２は、実施の形態１における連結体２と同様な素材からなり、上下方向の長さが単位長さＬ１の複数倍、ここでは３倍の寸法に構成したものを図示している。連結体３２には、その上端面３２Ａ及び下端面３２Ｂで開放している凹部３がそれぞれ形成されている。
【００５８】  連結体３２の、前記固定用雌ネジとの対向側部分３２Ｃには、前記寸法内の、２点鎖線で区切って示す、各単位長さＬ１の中に、等位置に、固定用雌ネジに螺合させるＭ５ネジのネジ部を挿通するための、二つ一組のネジ挿通部４，３４，３５がそれぞれ設けられている。図中最上部及び最下部の各単位長さＬ１内におけるネジ挿通部３４並びに中間部の単位長さＬ１内におけるネジ挿通部３５は、前記ネジ挿通部４における半円部分４Ａと同様の半円部分３４Ａ，３５Ａをそれぞれ有するが、これらに連なる各切欠３４Ｂ，３５Ｂは連結体３２の一方の側端面３２Ｄで開放している。また、このネジ挿通部３４，３５についても、これらとそれぞれ連なり凹部３と同様なる凹部４０，４１が連結体３２に設けられている。凹部４０，４１は、それぞれ凹部３と同様な半円部分４０Ａ，４１Ａ及び直線部分４０Ｂ，４１Ｂからなる形状を有しているが、横向きに形成されて連結体３２の前記側端面３２Ｄで開放している。
【００５９】  なお、この図示の凹部４０，４１は、連結体３２の右側にあるため、図示のアタッチメント３１をＥＩＡラックの左側に取り付けると、ＥＩＡラックにＥＩＡ機器を固定した後に、ＥＩＡラックの外部から見えなくなって、美観上好都合である。従って、同様の観点から、ＥＩＡラックの右側に取り付けられるもう一方のアタッチメントにおいては、この横向きの同様な凹部は連結体３２の左側に設けられる（実施の形態４，６，７から９についても同様である）。
【００６０】  そして、これらの各二つ一組のネジ挿通部のうちの一方のネジ挿通部と、これに隣接する他の二つ一組のネジ挿通部のうちの前記一方のネジ挿通部に隣接するネジ挿通部との間隔Ｌ１１、図に即して言えば、最上部及び最下部の各単位長さＬ１内における各ネジ挿通部３４と中間の単位長さＬ１内における各ネジ挿通部３５との間隔Ｌ１１はそれぞれ０．５インチ（０．２５インチ＋０．２５インチ。１２．７ｍｍ）である。
【００６１】  一方、連結体３２の、ＥＩＡ機器の取り付け部との対向側部分３２Ｅには、前記各単位長さＬ１の中に、実施の形態１において述べたところと同様に、第一の雌ネジ１２及び第二の雌ネジ１３がそれぞれ設けられている。
【００６２】  このように構成したアタッチメント３１の使用方法の一つは、次の通りである。このアタッチメント３１においては、ＥＩＡラックの固定用雌ネジに螺合させるＭ５ネジは最上部及び最下部の単位長さＬ１内におけるネジ挿通部４については切欠４Ｂから縦方向にして凹部３に入れ、ネジ挿通部３４，３５については切欠３４Ｂ，３５Ｂからそれぞれ横方向にして凹部４０，４１に入れ、その状態でネジ挿通部４，３４，３５をＥＩＡラックの対応する固定用雌ネジに合わせて、前記実施の形態１と同様に、各Ｍ５ネジを締めれば、アタッチメント３１はＥＩＡラックに固定される。
【００６３】  このアタッチメント３１は、上下方向の寸法が単位長さＬ１の３倍で、二つ一組のネジ挿通部を三組設けたことにより、ＥＩＡラック側の３組の固定用雌ネジを利用して一度に取り付けることができるから、前記実施の形態１におけるアタッチメント１を３つ別々に取り付けるよりも作業性がよい。なお、このアタッチメント３１は同じものを複数個ＥＩＡラックに取り付けてもよいし、又は、他の実施の形態１，３から６におけるアタッチメントと併用して取り付けることももちろん可能である。
【００６４】  そして、この実施の形態２においても、第二の雌ネジ１３の存在により、０．５Ｕ又は０．５Ｕの複数倍に相当する間隙を形成することができるので、実施の形態１において述べたところと同様にＥＩＡラックのより有効な利用及びＥＩＡ機器の応用範囲の拡大を図ることができる。
【００６５】  なお、図示の例では３Ｕに相当する長さとしてアタッチメント３１を構成したが、その他の長さ、例えば単位長さＬ１を２つ又は４つ有する形の連結体を用いて、２Ｕ又は４Ｕ等の長さに構成することもでき、それらの併用使用も当然可能である。
【発明の実施の形態３】
【００６６】
【００６７】  本発明の実施の形態３について、図８，９を参照しながら、説明する。図は本発明の実施の形態３におけるアタッチメントを示し、図８の（Ａ）は正面図、（Ｂ）は側面図、（Ｃ）は背面図、（Ｄ）は（Ａ）中のＤ−Ｄ線断面図、図９の（Ａ）は図８の（Ｂ）中のＩＸＡ−ＩＸＡ線断面図、（Ｂ）は平面図である。
【００６８】  図に示すように、符号６１によって示されるＥＩＡラック用のアタッチメントは、ＥＩＡラックの前記固定用雌ネジと、ＥＩＡ機器の取り付け部との間に配置される連結体６２からなっている。  連結体６２は、上下方向の長さが単位長さＬ１の寸法であって、実施の形態１における連結体２と同様な素材からなり且つ前記固定用雌ネジに対向するラック側部材６３と、同様に前記素材からなり且つ前記取り付け部に対向する機器側部材６４と、ラック側部材６３と機器側部材６４との各対向面に結合させた振動吸収素材からなる中間部材６６とを備えている。
【００６９】  実施の形態１と同様に、ラック側部材６３には、それぞれ半円部分６７Ａと切欠６７Ｂとからなる、二つのネジ挿通部６７が等位置に設けられている。
【００７０】  一方、機器側部材６４には、二つの第一の雌ネジ７１及び第二の雌ネジ７２がそれぞれ設けられているが、その配置寸法等は実施の形態１と同様である。
【００７１】  中間部材６６は、振動吸収素材、例えばゴムのような弾性素材から構成され、ラック側部材６３及び機器側部材６４に例えば熱溶着によって結合されている。中間部材６６は、ネジ挿通部６７に挿通されるＭ５ネジのネジ頭の配置及び第一の雌ネジ７１に差し込まれるドライバのヘッド部の挿通を可能とする形状を有している。即ち、この形状は、連結体６２の上部及び下部にそれぞれ凹部７３として形成されており、Ｍ５ネジのネジ頭を配置することのできる直径を有する半円部分７３Ａとこれに連なる直線部分７３Ｂとからなっており、実施の形態１における凹部３と同様なものである。
【００７２】  更に、中間部材６６には、第二の雌ネジ７２と連通し、第二の雌ネジ７２に螺合されるＭ５ネジのネジの受け入れ穴７７が設けられている。受け入れ穴７７の深さはＥＩＡ機器の取り付け部に挿通されるネジに対応して設定される。
【００７３】  このように構成したアタッチメント６１は実施の形態１において述べたところと同様にＥＩＡラックに取り付けて使用することができる。この実施の形態３においては、前述のような構成により、ＥＩＡラックに加えられた何らかの衝撃、振動は、中間部材６６に吸収されて、アタッチメント６１を介してＥＩＡラックに固定されたＥＩＡ機器には伝わらないので、ノイズの発生その他の動作の支障を来さない、という利点がある。この振動吸収については、ＥＩＡラックとＥＩＡ機器との間又はＥＩＡ機器同士の間に振動吸収作用のある適宜のクッション材を別途挟み込むようにすれば、一層効果的である。このクッション材による効果は、後述する実施の形態４，５，６，８，９についても同様に得られる。
【００７４】  また、このアタッチメント６１によれば、前述の振動吸収作用に加えて、前述のように第二の雌ネジ７２を設けたことにより、前記の実施の形態において述べたところと同じく、ＥＩＡラックのより有効な利用及びＥＩＡ機器の応用範囲の拡大を図ることができる。
【発明の実施の形態４】
【００７５】
【００７６】  本発明の実施の形態４について図１０から１２を参照しながら、説明する。図はこの実施の形態におけるアタッチメントを示し、図１０の（Ａ）は正面図、（Ｂ）は側面図、図１１の（Ａ）は背面図、（Ｂ）は図１０の（Ａ）中のＸＩＢ−ＸＩＢ線断面図、図１２は図１０（Ｂ）中のＸＩＩ−ＸＩＩ線断面図である。このアタッチメントの平面図は図９（Ｂ）と同一に現れるから、省略する。
【００７７】  この実施の形態において、ＥＩＡラックにおける前記固定用雌ネジと、ＥＩＡ機器の前述の取り付け部との間に配置されるアタッチメント９１を構成する連結体９２は、上下方向の長さが単位長さＬ１の複数倍、図示の例では、３倍の長さとなっている。連結体９２は、実施の形態３における連結体と同様な素材からなり、前記固定用雌ネジに対向するラック側部材９３と、前記取り付け部に対向する機器側部材９４と、ラック側部材９３と機器側部材９４との各対向面に結合、例えば熱溶着させた振動吸収素材、例えばゴムのような弾性素材の中間部材９６とを備えている。
【００７８】  ラック側部材９３には、実施の形態２において述べたところと同様な配置関係で、等位置に、ネジ挿通部６７，９８，９９が設けられている。図中最上部及び最下部の各単位長さＬ１内におけるネジ挿通部９８並びに中間部の単位長さＬ１内におけるネジ挿通部９９及びこれらをそれぞれ構成する半円部分９８Ａ，９９Ａ及び切欠９８Ｂ，９９Ｂの形態、配置等は実施の形態２と同様である。
【００７９】  一方、機器側部材９４には、前記単位長さＬ１の部分の中に、実施の形態３において述べたところと同様な、二つの第一の雌ネジ７１及び第二の雌ネジ７２がそれぞれ設けられている。
【００８０】  中間部材９６の上部及び下部には、実施の形態３と同様に、半円部分１１３Ａ及びこれに連なる直線部分１１３Ｂからなる凹部１１３がそれぞれ形成され、また、ネジ挿通部９８，９９についても、これと連なり且つ横向きで中間部材９６の一方の側端部９６Ａで開放する凹部１１４，１１５が設けられている。凹部１１４，１１５の形状は凹部１１３と同様で、それぞれ、半円部分１１４Ａ，１１５Ａ及びこれに連なる直線部分１１４Ｂ，１１５Ｂからなっている。
【００８１】  また、中間部材９６には実施の形態３と同様に各第二の雌ネジ７２に対応させて受け入れ穴７７が設けられている。
【００８２】  このように構成したアタッチメント９１は実施の形態２において述べたところと同様に使用することができる。この実施の形態５においても、アタッチメント９１は、単位長さＬ１の複数倍、ここでは３倍の寸法を有するから、前記実施の形態１，３に示したような１Ｕの長さのアタッチメントを３つ別々に取り付けるよりも作業性がよいという利点が得られる。
【００８３】  また、そのような利点に加えて、前述のような構成の中間部材９６を備えていることにより、実施の形態３と同様に、ラックに加えられた衝撃、振動は中間部材９６に吸収されるので、ＥＩＡ機器の動作に支障を来さないという利点も得られる。
【００８４】  更に、これらの利点に加えて、このアタッチメント９１によれば、前述のように第二の雌ネジ７２を設けたことにより、前記の実施の形態において述べたところと同様に、ＥＩＡラックの有効利用及びＥＩＡ機器の応用範囲の拡大という利点も得られる。
【発明の実施の形態５】
【００８５】
【００８６】  本発明の実施の形態５について図１３，１４を参照しながら、説明する。図は本発明の実施の形態５におけるアタッチメントを示し、図１３の（Ａ）は正面図、（Ｂ）は側面図、（Ｃ）は背面図、（Ｄ）は（Ａ）中のＤ−Ｄ線断面図、図１４の（Ａ）は図１３（Ｂ）中のＸＩＶＡ−ＸＩＶＡ線断面図、（Ｂ）は平面図である。
【００８７】  図８に示すように、この実施の形態５においては、ＥＩＡラックの固定用雌ネジと、ＥＩＡ機器の取り付け部との間に配置されるアタッチメント１２１を構成する連結体１２２は、前記の実施の形態３と同様に、ラック側部材１２３、機器側部材１２４、中間部材１２６とを備えている。更に、この実施の形態においては、連結体１２２は、中間部材１２６と同様な素材からなる、後述するカバー１２７を備えた構成となっており、カバー１２７をも含めて、上下方向の長さが単位長さＬ１の寸法となっている。
【００８８】  連結体１２２は、カバー１２７を除去した状態では、一部の寸法の相違する要素を除けば、実施の形態３の連結体６２を構成する要素と同様の要素から構成されるため、以下の説明において、実施の形態３のアタッチメントにおける要素と同一の要素には、同一の符号を付し、原則としてその説明を省略する。
【００８９】  前記実施の形態３と同様に、ラック側部材１２３には、半円部分１３０Ａ及び切欠１３０Ｂからなる、二つのネジ挿通部１３０が設けられ、機器側部材１２４には、第一の雌ネジ７１及び第二の雌ネジ７２が設けられ、中間部材１２６の上部及び下部には、実施の形態３と同様に、半円部分凹部１３４Ａ及び直線部分１３４Ｂからなる凹部１３４が、また、中間部材１２６には受け入れ穴７７が設けられている。
【００９０】  これらの要素のうち、第一の雌ネジ７１及び第二の雌ネジ７２、並びに、受け入れ穴７７の各構成及び配置関係は実施の形態３と同様であるが、ラック側部材１２３、機器側部材１２４及び中間部材１２６、並びに、ネジ挿通部１３０を構成する切欠１３０Ｂの各上下方向の寸法は、連結体１２２の前記寸法にカバー１２７の厚さが含まれているため、実施の形態３のそれらより小さくなっている。
【００９１】  中間部材１２６は、実施の形態３のように、振動吸収素材、例えばゴムのような弾性素材から構成され、ラック側部材１２３及び機器側部材１２４に例えば熱溶着によって結合されている。
【００９２】  そして、この実施の形態５においては、連結体１２２は、更に、軟質素材、例えばゴムのような弾性素材からなるカバー１２７を備えている。カバー１２７は、ラック側部材１２３、機器側部材１２４及び中間部材１２６の各上端面１２３Ａ，１２４Ａ及び１２６Ａ及び各下端面１２３Ｂ，１２４Ｂ，１２６Ｂをそれぞれ被覆する上壁部１２７Ａ及び下壁部１２７Ｂと、ラック側部材１２３、機器側部材１２４及び中間部材１２６の各側部端面１２３Ｃ，１２４Ｃ，１２６Ｃをそれぞれ被覆する側壁部１２７Ｇとからなっている。
前記上壁部１２７Ａ及び下壁部１２７Ｂには、中間部材１２６の凹部１３４と連なりその横断面形状と一致する開口１２７Ｃ，１２７Ｄがそれぞれ設けられている。
【００９３】  また、カバー１２７の前記上壁部１２７Ａ、下壁部１２７Ｂ及び側壁部１２７Ｇは、ラック側部材１２３の上端面１２３Ａ及び下端面１２３Ｂを除いて、機器側部材１２４及び中間部材１２６の前記各上端面１２４Ａ，１２６Ａ、各下端面１２４Ｂ，１２６Ｂ並びにラック側部材１２３、機器側部材１２４及び中間部材１２６の各側部端面１２３Ｃ，１２４Ｃ，１２６Ｃに接合されている。即ち、前記上壁部１２７Ａ及び下壁部１２７Ｂのうち、開口１２７Ｃ，１２７Ｄの二部を形成し且つラック側部材１２３の上端面１２３Ａ及び下端面１２３Ｂをそれぞれ覆う部分を、前記上端面１２３Ａ及び下端面１２３Ｂに接合せずに、前記上端面１２３Ａ及び下端面１２３Ｂから離反可能な変形部分１２７Ｅ，１２７Ｆとしてある。
【００９４】  なお、カバー１２７と中間部材１２６とを前述のように同様な軟質素材例えばゴムによって構成する場合に、２部材としての両者を接合するのではなく、例えば、中間部材１２６の厚さに相当する所要の空隙を介してラック側部材１２３及び機器側部材１２４を型に入れて前述の素材を注入、固化させることによって、カバー１２７及び中間部材１２６を、一体成形するとともに、ラック側部材１２３（上端面１２３Ａ及び下端面１２３Ｂを除く）及び機器側部材１２４に接合するようにすることもできる。
【００９５】  このように構成したアタッチメント１２１は実施の形態１において述べたところと同様に使用することができるが、実施の形態５においては、実施の形態３と同様に中間部材１２６によって、前述のような衝撃、振動によるＥＩＡ機器の誤動作等が防止されるという利点が得られる。
【００９６】  また、そのように利点に加えて、カバー１２７によってラック側部材１２３、機器側部材１２４及び中間部材１２６を被覆しているため、これらの部材同士の結合力が大きくなり、従って、連結体１２２の耐荷重性が高くなる。また、カバー１２７を設けたことによって、中間部材１２６のみの場合よりも、振動吸収量が多くなる。更に、このようなアタッチメント１２１を二つ以上隣接させてＥＩＡラックに固定した場合には、アタッチメント間で、隣接するラック側部材１２３及び機器側部材１２４同士が直接接触せず、カバー１２７同士が接触するから、取り付け作業者にとって耳障りとなる不快音が発生するのを防止できる。また、ラック側部材１２３、機器側部材１２４及び中間部材１２６の各側面がカバー１２７によって覆われて露出していないので、ＥＩＡ機器をＥＩＡラックに取り付けた状態の側面部分の美観が向上するという利点も得られる。
【００９７】  更に、このアタッチメント１２１においては、前述の中間部材１２６及びカバー１２７により得られる各利点に加えて、次の利点も得られる。即ち、ラック側部材１２３の、ネジ挿通部１３０を構成する縦方向の切欠１３０Ｂの部分を覆っている、カバー１２７の変形部分１２７Ｅ，１２７Ｆがラック側部材１２３の上端面１２３Ａ（及び下端面１２３Ｂ）からそれぞれ離反可能となっているので、カバー１２７の開口１２７Ｃ，１２７Ｄに挿入したＭ５ネジの先端部で、図１４（Ａ）中に鎖線で示すように、カバー１２７の前述の部分１２７Ｅ（１２７Ｆ）を引き伸ばしてラック側部材１２３の上端面１２３Ａ（及び下端面１２３Ｂ）からそれぞれ離反させながらネジ頭を開口１２７Ｃ（１２７Ｄ）内に挿入するが、そのように挿入したＭ５ネジは、もとの状態に復帰した前記の変形部分１２７Ｅ（１２７Ｆ）によって動きが制止されるため、凹部１３４から抜け落ちにくくなり、従って、アタッチメント１２１をＥＩＡラックの固定用雌ネジに固定する際のネジの紛失を防止でき、作業の効率が上がるという利点も得られる。
【００９８】  更に、このアタッチメント１２１によれば、これらの利点に加えて、前述のように第二の雌ネジ７２を設けることにより、前記の実施の形態において述べたような、ＥＩＡラックのより有効な利用及びＥＩＡ機器の応用範囲の拡大を図ることができるという利点も得られる。
【発明の実施の形態６】
【００９９】
【００１００】  本発明の実施の形態６について図１５から１７を参照しながら、説明する。図はこの実施の形態におけるアタッチメントを示し、図１５の（Ａ）は正面図、（Ｂ）は側面図、図１６の（Ａ）は背面図であり、（Ｂ）は図１５の（Ａ）中のＸＶＩＢ−ＸＶＩＢ線断面図、図１７は図１５の（Ｂ）中のＸＶＩＩ−ＸＶＩＩ線断面図である。このアタッチメントの平面図は図１４（Ｂ）と同一に現れるから、省略する。
【００１０１】  この実施の形態において、ＥＩＡラックの前記固定用雌ネジと、ＥＩＡ機器の取り付け部との間に配置されるアタッチメント１５１を構成する連結体１５２は、前記の実施の形態４と同様に、ラック側部材１５３と、機器側部材１５４と、中間部材１５６とを備えている。
【００１０２】  連結体１５２は、更に、実施の形態５と同様に、ラック側部材１５３、機器側部材１５４及び中間部材１５６の各上端面１５３Ａ，１５４Ａ，１５６Ａ、各下端面１５３Ｂ，１５４Ｂ，１５６Ｂ及び各側部端面１５３Ｃ，１５４Ｃ，１５６Ｃを被覆する軟質素材、例えばゴムのような弾性素材からなるカバー１５７を備えた構成となっており、カバー１５７の厚さをも含めて、上下方向の長さが単位長さＬ１の複数倍の寸法となっている。この図示例では、連結体１５２は単位長さＬ１の３倍の寸法である。
【００１０３】  連結体１５２は、カバー１５７を除去した状態では、一部の寸法の相違する要素を除けば、実施の形態４の連結体９２を構成する要素と同様の要素から構成されるため、以下の説明において、実施の形態４のアタッチメントにおける要素と同一の要素には、同一の符号を付し、原則としてその説明を省略する。
【００１０４】  実施の形態４と同様に、ラック側部材１５３には、ネジ挿通部１３０，１６０，１６１が設けられ、これらはそれぞれが、半円部分１３０Ａ，１６０Ａ，１６１Ａ及び切欠１３０Ｂ，１６０Ｂ，１６１Ｂからなっている。これらの要素の形態、配置等は実施の形態４と同様である。
【００１０５】  前述したように、連結体１５２の上下方向の長さは、前記カバー１５７を含めた状態で、実施の形態４の連結体９２の上下方向の長さと同一であるから、ラック側部材１５３の上下方向の寸法はカバー１５７の厚さ分だけ実施の形態４におけるラック側部材９３より小さく、従って、実施の形態６におけるネジ挿通部１３０の切欠１３０Ｂの長さも実施の形態４における切欠６７Ｂよりカバー１５７の厚さ分だけ小さなものとなっている。また、連結体１５２の横幅は、実施の形態４及び６のいずれにおいても特に寸法を規定していないが、両者の寸法を同じにした場合には、実施の形態６におけるネジ挿通部１６０，１６１の各切欠１６０Ｂ，１６１Ｂの長さは実施の形態４における切欠９８Ｂ，９９Ｂよりカバー１５７の厚さ分だけ小さなものとなる。
【００１０６】  機器側部材１５４には実施の形態４と同様な第一の雌ネジ７１及び第二の雌ネジ７２が設けられている。機器側部材１５４の上下方向の長さもカバー１５７の厚さだけ実施の形態４における機器側部材９４より小さなものとなっている。
【００１０７】  中間部材１５６は、実施の形態３のように、振動吸収素材、例えばゴムのような弾性素材から構成され、ラック側部材１５３及び機器側部材１５４に例えば熱溶着によって結合されている。そして、中間部材１５６の上部及び下部には、実施の形態５と同様に、半円部分１３４Ａ及びこれに連なる直線部分１３４Ｂからなる凹部１３４がそれぞれ形成されているが、カバー１５７によって中間部材１５６の上下方向の寸法は実施の形態４の中間部材９６より小さくなっているために、この直線部分１３４Ｂの長さも実施の形態４の凹部１１３の直線部分１１３Ｂより小さくなっている。
【００１０８】  また、実施の形態４と同様に、ネジ挿通部１６０，１６１についても、これと連なり且つ横向きで中間部材１５６の一方の側端部１５６Ａで開放する凹部１６４，１６５が設けられている。凹部１６４，１６５の形状は凹部１３４と同様で、それぞれ、半円部分１６４Ａ，１６５Ａ及びこれに連なる直線部分１６４Ｂ，１６５Ｂからなっている。直線部分１６４Ｂ，１６５Ｂの長さは、連結体１５２の横幅を実施の形態４と同じにした場合には、実施の形態４における凹部１１４，１１５の直線部分１１４Ｂ，１１５Ｂよりカバー１２６の厚さ分だけ小さなものとなる。
【００１０９】  また、中間部材１５６には実施の形態４と同様に各第二の雌ネジ７２に対応させて受け入れ穴７７が設けられている。
【００１１０】  前述のラック側部材１５３、機器側部材１５４及び中間部材１５６を被覆する前記カバー１５７は、実施の形態５と同様に、中間部材１５６と同一の素材からなっている。カバー１５７の上壁部１５７Ａ及び下壁部１５７Ｂにそれぞれ設けられる開口１５７Ｃ，１５７Ｄは実施の形態５における開口１２７Ｃ，１２７Ｄと同様な構成であり、実施の形態５と同様に、開口１５７Ｃ，１５７Ｄの一部を形成し且つラック側部材１５３の前記上端面１５３Ａ及び下端面１５３Ｂを覆う部分を前記上端面１５３Ａ及び下端面１５３Ｂに接合せずに、前記上端面１５３Ａ及び下端面１５３Ｂから離反可能な変形部分１５７Ｅ，１５７Ｆとしてある。
【００１１１】  更に、この実施の形態６においては、カバー１５７の一方の側壁部１５７Ｇ即ちラック側部材１５３、機器側部材１５４及び中間部材１５６の各一方の側部端面１５３Ｃ，１５４Ｃ，１５６Ｃを覆う部分に、中間部材１５６の凹部１６４，１６５の縦断面形状と一致する開口１５７Ｈ，１５７Ｉがそれぞれ設けられている。この開口１５７Ｈ，１５７Ｉは、開口１５７Ｃ，１５７Ｄと同様な形状、寸法で、横向きになっている。そして、前記側壁部１５７Ｇのうち、開口１５７Ｈ，１５７Ｉの一部を形成し且つラック側部材１５３の前記側部端面１５３Ｃを覆う部分を、前記側部端面１５３Ｃに接合せずに、前記側部端面１５３Ｃから離反可能な変形部分１５７Ｊ，１５７Ｋとしてある。
【００１１２】  カバー１５７の素材及び中間部材１５６との一体成形、ラック側部材１５３、機器側部材１５４及び中間部材１５６への熱溶着等による接合についても実施の形態５と同様である。
【００１１３】  このように構成したアタッチメント１５１は前記の実施の形態において述べたところと同様に使用することができる。そして、前述のようにアタッチメント１５１は単位長さＬ１の複数倍ここでは３倍の長さを有するから、実施の形態２，４と同様なＥＩＡラックへの取り付けの際の作業性がよいという利点がある。
【００１１４】  このような利点に加えて、このアタッチメント１５１によれば、中間部材１５６を設けたことにより、実施の形態４において述べたところと同様な衝撃、振動によるＥＩＡ機器の動作支障を来さない、という利点も得られる。
【００１１５】  また、このアタッチメント１５１は、前述のようなカバー１５７を設けたことにより、実施の形態５と同様、耐荷重性が大きくなり、振動吸収量が多くなる、隣接させて複数個をＥＩＡラックに取り付ける場合の不快音が発生しない、ＥＩＡラックに取り付けた状態での美観に優れる、という利点も得られる。
【００１１６】  更に、このアタッチメント１５１によれば、これらの利点に加えて、前述のように第二の雌ネジ７２を設けたことにより、前記の各実施の形態において述べたような、ＥＩＡラックのより有効な利用及びＥＩＡ機器の応用範囲の拡大を図ることができるという利点も得られる。
【発明の実施の形態７】
【００１１７】
【００１１８】  本発明の実施の形態７について、図１８から図２１を参照しながら、説明する。図はこの実施の形態におけるアタッチメントを示し、図１８の（Ａ）は正面図、（Ｂ）は側面図、図１９の（Ａ）は背面図、（Ｂ）は図１８の（Ａ）中のＸＩＸＢ−ＸＩＸＢ線断面図、図２０は図１８の（Ｂ）中のＸＸ−ＸＸ線断面図である。このアタッチメントの平面図は図２（Ｂ）と同一に現れるから、省略する。図２１はこの実施の形態のアタッチメントとＥＩＡ機器との配置関係を示す正面図である。
【００１１９】  この実施の形態において、アタッチメント１８１は、前述のようなＪＩＳ規格に従ってＪＩＳ機器用の固定用雌ネジが設けられたＪＩＳラックの前記固定用雌ネジと（以下、実施の形態８，９についても同じ）、ＥＩＡ規格に従って固定用ねじ挿通部が設けられた、ＥＩＡ機器の取り付け部との間に配置される連結体１８２からなり、連結体１８２は実施の形態１における連結体２と同様な素材によって構成され、上下方向の長さが単位長さＬ１の５倍の寸法である（図では中間部分の単位長さＬ１を省略してある）。連結体１８２の上部及び下部には、実施の形態１において述べたところと同様の、半円部分３Ａ及び直線部分３Ｂからなる凹部３がそれぞれ形成されている。
【００１２０】  連結体１８２の、前記固定用雌ネジとの対向側部分１８２Ｃには、その上下方向のいずれかの一端、図示例では上端、から上下方向に０．２５インチの間隔Ｌ１３及び８．１２５インチの間隔Ｌ１４をおいてＭ５ネジのネジ部を挿通するためのネジ挿通部４，１８３がそれぞれ設けられている。従って、この二つのネジ挿通部４，１８３同士の間隔Ｌ１５は７．８７５インチである。
【００１２１】  ネジ挿通部４は、前記実施の形態１において述べたものと同様で、半円部分４Ａ及びそれらに連なる各切欠４Ｂからなり、且つ、凹部３と連なっている。ネジ挿通部１８３は、前記ネジ挿通部４における半円部分４Ａと同様の半円部分１８３Ａ及び切欠１８３Ｂからなるが、この切欠１８３Ｂは連結体１８２の一方の側端面１８２Ｄで開放している。このネジ挿通部１８３についても、これと連なり且つ凹部３と同様な凹部１８４が連結体１８２に設けられている。凹部１８４は、凹部３と同様な半円部分１８４Ａ及び直線部分１８４Ｂからなる形状を有しているが、横向きに形成されて連結体１８２の前記側端面１８２Ｄで開放している。
【００１２２】  また、前記対向側部分１８２Ｃには、前記上端側のネジ挿通部４と対称な位置にもう一つのネジ挿通部４が設けられている。このネジ挿通部４も、前記実施の形態１において述べたものと同様で、半円部分４Ａ及びそれらに連なる各切欠４Ｂからなり、且つ、図中下側の凹部３と連なっている。従って、この連結体１８２における二つのネジ挿通部４は、実施の形態２と同様なものである。
【００１２３】  一方、連結体１８２の、前記取り付け部との対向側部分１８２Ｆには、実施の形態２と同様に配置された、第一の雌ネジ１２，１８５及び第二の雌ネジ１３，１８７が設けられている。これらの雌ネジのうち第一の雌ネジ１８５は、配置関係は実施の形態２と同様であるが、実施の形態２の第一の雌ネジ１２と異なり、連結体１８２を貫通させずに設けられている。従って、この実施の形態７においては、前記の第一の雌ネジ１２，１８５のうち第一の雌ネジ１２が、ネジ挿通部４と同一の中心線上にあり且つこのネジ挿通部４に挿通したネジを回す工具例えばドライバのヘッド部を挿入可能なように前記凹部３にまで貫通させてある。
【００１２４】  また、前記第二の雌ネジ１８７は、連結体１８２の最下部の単位長さＬ１内における第一の雌ネジ１２に隣接し、その配置関係は実施の形態２の第二の雌ネジ１３と同様であるが、ネジ挿通部１８３と同一の中心線上にあり且つネジ挿通部１８３に挿通したネジを回す工具例えばドライバのヘッド部を挿入可能なように前記凹部１８４にまで貫通させてある。
【００１２５】  なお、連結体１８２における前記ネジ挿通部４，１８３及び第一の雌ネジ１２，第二の雌ネジ１８７は、図示例と反対にして上下方向に対称な位置に設けてもよい。また、前記ネジ挿通部１８３及び第二の雌ネジ１８７は、図示の位置と上下方向に対称な位置に各一つずつ追加して設けるようにすることもできる。
【００１２６】  このような構成のアタッチメント１８１においては、前述したように、図中上側のネジ挿通部４とネジ挿通部１８３との間隔Ｌ１５が、前述のように、７．８７５インチ（２００．０２５ｃｍ）であり、ＪＩＳラックの固定用雌ネジ同士の間隔Ｌ３０（図２０）である５０ｍｍの４倍（２００ｍｍ）と実質的に同じであって、両者のネジの位置関係が合致するので、アタッチメント１８１の前記上側のネジ挿通部４及びネジ挿通部１８３にそれぞれ挿通したＭ５ネジをＪＩＳラックの固定用雌ネジに螺合させて、アタッチメント１８１をＪＩＳラックに取り付けることができる。その場合に、アタッチメント１８１の第一の雌ネジ１２，１８５及び第二の雌ネジ１３，１８７は前述のように、ＥＩＡ規格の取付寸法に対応しており、且つ、第一の雌ネジ１２，１８５に対して前述のような配置関係で第二の雌ネジ１３，１８７を設けてあるから、実施の形態１において述べたところと同様に、このアタッチメント１８１を介して１Ｕ若しくはその複数倍又は０．５Ｕ若しくはその複数倍のＥＩＡ機器３１２，３１３，３１４、飾り板３１５等を図７に示すようにＪＩＳラックに固定して使用することができる。従来は、ＪＩＳラックの所有者はＪＩＳ機器しか使用することができなかったが、このアタッチメント１８１によってＥＩＡ機器をも使用することができるので、ＪＩＳラックのより有効な利用及びＥＩＡ機器の応用範囲の拡大を図ることができ、ＪＩＳラックの所有者にとって至極便利である。
【００１２７】  また、この実施の形態７によるアタッチメント１８１は、前述のように、実施の形態２と同様に二つのネジ挿通部４を設けてあるので、これを利用してＥＩＡラックへの取付も可能である。
【発明の実施の形態８】
【００１２８】
【００１２９】  本発明の実施の形態８について図２２から２４を参照しながら、説明する。図はこの実施の形態におけるアタッチメントを示し、図２２の（Ａ）は正面図、（Ｂ）は側面図、図２３の（Ａ）は背面図、（Ｂ）は図２２の（Ａ）中のＸＸＩＩＩＢ−ＸＸＩＩＩＢ線断面図、図２４は図２２の（Ｂ）中のＸＸＩＶ−ＸＸＩＶ線断面図である。このアタッチメントの平面図は図９（Ｂ）と同一に現れるから、省略する。
【００１３０】  この実施の形態において、アタッチメント２０１は、ＪＩＳラックの前記固定用雌ネジと、ＥＩＡ機器の取り付け部との間に配置される連結体２０２からなり、その上下方向の長さは単位長さＬ１の５倍の寸法である。連結体２０２は、実施の形態３と同様な素材からなり、前記固定用雌ネジに対向するラック側部２０３材と、前記取り付け部に対向する機器側部材２０４と、ラック側部材２０３と機器側部材２０４との各対向面に結合、例えば熱溶着させた振動吸収素材、例えばゴムのような弾性素材の中間部材２０６とを備えている。
【００１３１】  ラック側部材２０３には、実施の形態７と同様な配置関係で、その上下方向のいずれかの一端、図示例では上端、から上下方向に間隔Ｌ１３及び間隔Ｌ１４をおいてＭ５ネジのネジ部を挿通するためのネジ挿通部６７，２０７がそれぞれ設けられている。ネジ挿通部６７は、前記実施の形態４において述べたものと同様で、半円部分６７Ａ及びこれに連なる切欠６７Ｂからなっており、中間部材２０６の上部及び下部にそれぞれ設けられた、実施の形態３と同様な凹部１１３の一方、図示の例では上部側の凹部１１３に連なっている。ネジ挿通部２０７は、前記ネジ挿通部６７における半円部分６７Ａと同様の半円部分２０７Ａ及び切欠２０７Ｂからなるが、この切欠２０７Ｂはラック側部材２０３の一方の側端面２０３Ｄで開放している。このネジ挿通部２０７についても、後述する中間部材２０６の凹部２１０に連なっている。
【００１３２】  また、前記ラック側部材２０３には、前記上端側のネジ挿通部６７と対称な位置に、実施の形態４において述べたものと同様に、半円部分６７Ａ及びこれに連なる切欠６７Ｂからなる、もう一つのネジ挿通部６７が設けられている。このネジ挿通部６７は、図中下側の凹部１１３と連なっている。従って、このラック側部材２０３における二つのネジ挿通部６７は、実施の形態４と同様なものである。
【００１３３】  一方、機器側部材２０４には、実施の形態７と同様な配置関係で、第一の雌ネジ７１，２０８及び第二の雌ネジ７２，２０９が設けられており、第一の雌ネジ７１，２０８のうちの上下最両端側の二つの第一の雌ネジ７１のみが、ネジ挿通部６７とそれぞれ同一の中心線上にあって後述する凹部１１３にまで貫通している。
【００１３４】  また、前記第二の雌ネジ２０９は、連結体１８２の最下部の単位長さＬ１内における第一の雌ネジ７１に隣接し、その配置関係は実施の形態４の第二の雌ネジ７２と同様であるが、ネジ挿通部２０７と同一の中心線上にあり且つネジ挿通部２０７に挿通したネジを回す工具例えばドライバのヘッド部を挿入可能なように後述する凹部２１０にまで貫通させてある。
【００１３５】  また、機器側部材２０４の最上部及び最下部の各単位長さＬ１の部分内の第一の雌ネジ７１と第一の雌ネジ２０８との間隔、及び、最上部と最下部の間の三つの単位長さＬ１の部分内での各第一の雌ネジ２０８同士の間隔は、実施の形態１において述べた間隔Ｌ３と同じである。
【００１３６】  中間部材２０６は、実施の形態３のように、振動吸収素材、例えばゴムのような弾性素材から構成され、ラック側部材２０３及び機器側部材２０４に例えば熱溶着によって結合されており、前記凹部１１３のほかに、前記最下部の単位長さＬ１の部分内での第一の雌ネジ７１に隣接する第二の雌ネジ２０９に対応する部分にも、凹部２１０が設けられている。この凹部２１０は、凹部１１３と同様な半円部分２１０Ａ及びこれに連なる直線部分２１０Ｂからなる形状を有しているが、横向きに形成されて中間部材２０６の一方の側端面２０６Ｄで開放している。
【００１３７】  また、中間部材２０６には実施の形態３と同様に各第二の雌ネジ７２に対応させて受け入れ穴７７が設けられ、更に、第一の雌ネジのうち最上部及び最下部の第一の雌ネジ７１以外の第一の雌ネジ２０８についても同様な受け入れ穴２１１が設けられている。
【００１３８】  このような構成のアタッチメント２０１は、前記実施の形態７と同様に図中上側のネジ挿通部６７とネジ挿通部２０７によって、実施の形態７において述べたところと同様に、ＪＩＳラックに取り付けることができ、従って、第一の雌ネジ７１，２０８及び第二の雌ネジ７２，２０９を利用して、アタッチメント２０１を介してＥＩＡ機器をＪＩＳラックに固定することができ、ＪＩＳラックの所有者にとって至って便利である。
【００１３９】  また、このような利点に加えて、このアタッチメント２０１は、中間部材２０６を設けたことにより、実施の形態３から６において述べたところと同様な衝撃、振動によるＥＩＡ機器の動作支障を来さない、という利点も得られる。
【００１４０】  更に、これらの利点に加えて、このアタッチメント２０１によれば、前述のように第二の雌ネジ７２，２０９を設けたことにより、０．５Ｕ又は０．５Ｕの複数倍に相当する間隙をＥＩＡ機器同士の間に形成することができるから、実施の形態１において述べたところと同様に、ＪＩＳラックのより有効な利用及びＥＩＡ機器の応用範囲の拡大を図ることができる。
【００１４１】  また、このアタッチメント２０１は、実施の形態４と同様に二つのネジ挿通部６７を設けてあるので、これを利用してＥＩＡラックへの取付も可能である。
【発明の実施の形態９】
【００１４２】
【００１４３】  本発明の実施の形態９について図２５から２７を参照しながら、説明する。図はこの実施の形態におけるアタッチメントを示し、図２５の（Ａ）は正面図、（Ｂ）は側面図、図２６の（Ａ）は背面図、（Ｂ）は図２５の（Ａ）中のＸＸＶＩＢ−ＸＸＶＩＢ線断面図、図２７は図２５の（Ｂ）中のＸＸＶＩＩ−ＸＸＶＩＩ線断面図である。このアタッチメントの平面図は図１４（Ｂ）と同一に現れるから、省略する。
【００１４４】  この実施の形態において、アタッチメント２２１は、ＥＩＡラックの前記固定用雌ネジと、ＪＩＳ機器の取り付け部との間に配置される連結体２２２からなり、連結体２２２は、前記の実施の形態８と同様に、ラック側部材２２３と、機器側部材２２４と、中間部材２２６とを備えている。
【００１４５】  この実施の形態９においては、連結体２２２は、更に、実施の形態６と同様に、軟質素材からなる、後述するカバー２２７を備えた構成となっており、カバー２２７の厚さをも含めて、上下方向の長さが単位長さＬ１の５倍の寸法となっている。
【００１４６】  連結体２２２は、カバー２２７を除去した状態では、一部の寸法の相違する要素を除けば、実施の形態８の連結体２０２を構成する要素と同様の要素から構成されるため、以下の説明において、実施の形態８のアタッチメント２０１における要素と同一の要素には、同一の符号を付し、原則としてその説明を省略する。
【００１４７】  より詳しく述べると、前述したように、連結体２２２の上下方向の長さは、前記カバー２２７を含めた状態で、実施の形態８の連結体２０２の上下方向の長さと同一であるから、ラック側部材２２３の上下方向の寸法はカバー２２７の厚さ分だけ実施の形態８におけるラック側部材２０３より小さい。
【００１４８】  ラック側部材２２３には、実施の形態７と同様な配置関係で、カバー２２７の上下方向のいずれかの一端、図示例では上端、から上下方向に間隔Ｌ１３及び間隔Ｌ１４をおいてＭ５ネジのネジ部を挿通するためのネジ挿通部１３０，２３０がそれぞれ設けられている。このネジ挿通部１３０は、前記実施の形態６において述べたものと同様で、半円部分１３０Ａ及びこれに連なる切欠１３０Ｂからなっており、中間部材２２６の上部に設けられた、実施の形態５と同様な凹部１３４に連なっている。ネジ挿通部２３０は、前記ネジ挿通部１３０における半円部分１３０Ａ及び切欠部分１３０Ｂと同様の半円部分２３０Ａ及び切欠２３０Ｂからなるが、この切欠２３０Ｂはラック側部材２２３の一方の側端面２２３Ｄで開放している。このネジ挿通部２３０についても、後述する中間部材２２６の凹部２３１に連なっている。
【００１４９】  また、前記ラック側部材２２３には、前記上端側のネジ挿通部１３０と対称な位置に、実施の形態６において述べたものと同様に、半円部分１３０Ａ及びこれに連なる切欠１３０Ｂからなる、図中下側の、もう一つのネジ挿通部１３０が設けられている。このネジ挿通部１３０は、中間部材２２６の図中下部に設けられた、実施の形態５と同様な凹部１３４と連なっている。従って、このラック側部材２２３における二つのネジ挿通部１３０は、実施の形態６と同様なものである。
【００１５０】  一方、機器側部材２２４は、その上下方向の長さが、ラック側部材２２３と同様に、カバー２２７の厚さだけ実施の形態８における機器側部材２０４より小さなものとなっている。機器側部材２２４には、実施の形態７と同様な配置関係で、第一の雌ネジ７１，２０８及び第二の雌ネジ７２，２０９が設けられており、第一の雌ネジ７１，２０８のうちの第一の雌ネジ７１が、ネジ挿通部１３０とそれぞれ同一の中心線上にあって凹部１１３にまで貫通している。
【００１５１】  また、機器側部材２２４の最上部及び最下部の各単位長さＬ１の部分内の第一の雌ネジ７１と第一の雌ネジ２０８との間隔、及び、最上部と最下部の間の三つの単位長さＬ１の部分内での各第一の雌ネジ２０８同士の間隔は、実施の形態１において述べた間隔Ｌ４と同じである。
【００１５２】  また、前記第二の雌ネジ２０９は、連結体２２２の最下部の単位長さＬ１内における第一の雌ネジ７１に隣接し、その配置関係は実施の形態４の第二の雌ネジ７２と同様であるが、ネジ挿通部２３０と同一の中心線上にあり且つネジ挿通部２３０に挿通したネジを回す工具例えばドライバのヘッド部を挿入可能なように後述する凹部２３１にまで貫通させてある。
【００１５３】  中間部材２２６は、実施の形態３のように、振動吸収素材、例えばゴムのような弾性素材から構成され、ラック側部材２２３及び機器側部材２２４に例えば熱溶着によって結合されており、前記凹部１３４のほかに、前記最下部の単位長さＬ１の部分内での第一の雌ネジ７１に隣接する第二の雌ネジ２０９に対応する部分にも、凹部２３１が設けられている。この凹部２３１は、凹部１３４と同様な半円部分２３１Ａ及びこれに連なる直線部分２３１Ｂからなる形状を有しているが、横向きに形成されて中間部材２２６の一方の側端面２２６Ｄで開放している。
【００１５４】  また、中間部材２２６には、実施の形態８と同様に、第一の雌ネジのうち最上部及び最下部の第一の雌ネジ７１以外の第一の雌ネジ２０８に連なる受け入れ穴２１１並びに第二の雌ネジ７２に連なる受け入れ穴７７が設けられている。
【００１５５】  前述のラック側部材２２３、機器側部材２２４及び中間部材２２６を被覆する前記カバー２２７は、実施の形態５と同様に、中間部材２２６と同一の素材からなっている。そして、前記カバー２２７は、ラック側部材２２３、機器側部材２２４及び中間部材２２６の各上端面２２３Ａ，２２４Ａ及び２２６Ａ及び各下端面２２３Ｂ，２２４Ｂ，２２６Ｂをそれぞれ被覆する上壁部２２７Ａ及び下壁部２２７Ｂと、ラック側部材２２３、機器側部材２２４及び中間部材２２６の各側部端面２２３Ｃ，２２４Ｃ，２２６Ｃをそれぞれ被覆する側壁部２２７Ｇとからなっている。前記上壁部２２７Ａ及び下壁部２２７Ｂには、中間部材２２６の凹部１３０と連なりその横断面形状と一致する開口２２７Ｃ，２２７Ｄがそれぞれ設けられている。
【００１５６】  また、カバー２２７の前記上壁部２２７Ａ、下壁部２２７Ｂ及び側壁部２２７Ｇは、ラック側部材２２３の上端面２２３Ａ及び下端面２２３Ｂ並びにラック側部材２２３の一方の側部端面２２３Ｄを除いて、機器側部材２２４及び中間部材２２６の前記各上端面２２４Ａ，２２６Ａ、各下端面２２４Ｂ，２２６Ｂ並びにラック側部材２２３、機器側部材２２６及び中間部材２２６の各側部端面２２３Ｃ，２２４Ｃ，２２６Ｃに接合されている。即ち、実施の形態５と同様に、前記上壁部２２７Ａ及び下壁部２２７Ｂのうち、開口２２７Ｃ，２２７Ｄの一部を形成し且つラック側部材２２３の上端面２２３Ａ及び下端面２２３Ｂをそれぞれ覆う部分は、前記上端面２２３Ａ及び下端面２２３Ｂに接合せずに、前記上端面２２３Ａ及び下端面２２３Ｂから離反可能な変形部分２２７Ｅ，２２７Ｆとしてある。
【００１５７】  また、この実施の形態９においては、カバー２２７の一方の側壁部２２７Ｇ即ちラック側部材２２３、機器側部材２２４及び中間部材２２６の各一方の側部端面２２３Ｄ，２２４Ｃ，２２６Ｃを覆う部分に、中間部材２２６の凹部２３１の縦断面形状と一致する開口２２７Ｈが設けられている。この開口２２７Ｈは、開口２２７Ｃと同様な形状、寸法で、横向きになっている。そして、前記側壁部２２７Ｇのうち、開口２２７Ｈの一部を形成し且つラック側部材２２３の前記側部端面２２３Ｄを覆う部分を、前記側部端面２２３Ｄに接合せずに、前記側部端面２２３Ｄから離反可能な変形部分２２７Ｊとしてある。
【００１５８】  カバー２２７及び中間部材２２６の各素材、カバー２２７と中間部材２２６との一体成形、カバー２２７及び中間部材２２６の、ラック側部材２２３、機器側部材２２４及び中間部材２２６への熱溶着等による接合についても実施の形態５と同様である。
【００１５９】  このような構成のアタッチメント２２１は、前記実施の形態７と同様にネジ挿通部、第一の雌ネジ並びに第二の雌ネジが配置されているから、ＪＩＳラックに取り付けることができ、従って、アタッチメント２２１を介してＥＩＡ機器を複数台、ＪＩＳラックに固定することができ、ＪＩＳラックの所有者にとって至って便利である、という利点がある。
【００１６０】  このような利点に加えて、この実施の形態９においては、前述のように中間部材２２６を備えた構成により、実施の形態４において述べたところと同様に、ＪＩＳラックに加えられた衝撃、振動は中間部材２２６に吸収されて、ＪＩＳラックに固定されたＥＩＡ機器に伝わらないので、ＥＩＡ機器の動作に支障を来さない、という利点も得られる。
【００１６１】  また、このアタッチメント２２１は、前述のようなカバー２２７を設けたことにより、実施の形態５と同様、耐荷重性が大きくなり、振動吸収量が多くなる、ＥＩＡラックに取り付けた状態での美観に優れる、という利点も得られる。
【００１６２】  更に、このアタッチメント２２１によれば、これらの利点に加えて、前述のように第二の雌ネジ７２を設けたことにより、実施の形態７において述べたところと同じく、ＪＩＳラックのより有効な利用及びＥＩＡ機器の応用範囲の拡大を図ることができるという利点も得られる。
【００１６３】  また、このアタッチメント２２１は、実施の形態６と同様に二つのネジ挿通部１３０を設けてあるので、これを利用してＥＩＡラックへの取付も可能である。
【図面の簡単な説明】
【００１６４】
【００１６５】
【図１】  本発明の実施の形態１におけるアタッチメントを示し、（Ａ）は正面図、（Ｂ）は側面図、（Ｃ）は背面図、（Ｄ）は（Ａ）中のＤ−Ｄ線断面図
【図２】  前記実施の形態１におけるアタッチメントを示し、（Ａ）は図１の（Ｂ）中のＩＩＡ−ＩＩＡ線断面図、（Ｂ）は平面図
【図３】  前記実施の形態１におけるアタッチメントの使用状態を示す断面図
【図４】  前記実施の形態１におけるアタッチメントとＥＩＡ機器との配置関係を示す正面図
【図５】  本発明の実施の形態２におけるアタッチメントを示し、（Ａ）は正面図、（Ｂ）は側面図
【図６】  前記実施の形態２におけるアタッチメントを示し、（Ａ）は背面図、（Ｂ）は図５（Ａ）中のＶＩＢ−ＶＩＢ線断面図
【図７】  前記実施の形態２におけるアタッチメントを示し、図５（Ｂ）中のＶＩＩ−ＶＩＩ線断面図
【図８】  本発明の実施の形態３におけるアタッチメントを示し、（Ａ）は正面図、（Ｂ）は側面図、（Ｃ）は背面図、（Ｄ）はＡ）中のＤ−Ｄ線断面図
【図９】  前記実施の形態３におけるアタッチメントを示し、（Ａ）は図８の（Ｂ）中のＩＸＡ−ＩＸＡ線断面図、（Ｂ）は平面図
【図１０】  本発明の実施の形態４におけるアタッチメントを示し、（Ａ）は正面図、（Ｂ）は側面図
【図１１】  前記実施の形態４におけるアタッチメントを示し、（Ａ）は背面図、（Ｂ）は図１０の（Ａ）中のＸＩＢ−ＸＩＢ線断面図
【図１２】  前記実施の形態４におけるアタッチメントを示し、図１０（Ｂ）中のＸＩＩ−ＸＩＩ線断面図
【図１３】  本発明の実施の形態５におけるアタッチメントを示し、（Ａ）は正面図、（Ｂ）は側面図、（Ｃ）は背面図、（Ｄ）は（Ａ）中のＤ−Ｄ線断面図
【図１４】  前記実施の形態５におけるアタッチメントを示し、（Ａ）は図１３（Ｂ）中のＸＩＶＡ−ＸＩＶＡ線断面図、（Ｂ）は平面図
【図１５】  本発明の実施の形態６におけるアタッチメントを示し、（Ａ）は正面図、（Ｂ）は側面図
【図１６】  前記実施の形態６におけるアタッチメントを示し、（Ａ）は背面図であり、（Ｂ）は図１５の（Ａ）中のＸＶＩＢ−ＸＶＩＢ線断面図
【図１７】  前記実施の形態６におけるアタッチメントを示し、図１５の（Ｂ）中のＸＶＩＩ−ＸＶＩＩ線断面図
【図１８】  本発明の実施の形態７におけるアタッチメントを示し、（Ａ）は正面図、（Ｂ）は側面図
【図１９】  前記実施の形態７におけるアタッチメントを示し、（Ａ）は背面図、（Ｂ）は図１８の（Ａ）中のＸＩＸＢ−ＸＩＸＢ線断面図
【図２０】  前記実施の形態７におけるアタッチメントを示し、図１８の（Ｂ）中のＸＸ−ＸＸ線断面図
【図２１】  前記実施の形態７におけるアタッチメントとＥＩＡ機器との配置関係を示す正面図
【図２２】  本発明の実施の形態８におけるアタッチメントを示し、（Ａ）は正面図、（Ｂ）は側面図
【図２３】  前記実施の形態８におけるアタッチメントを示し、（Ａ）は背面図、（Ｂ）は図２２の（Ａ）中のＸＸＩＩＩＢ−ＸＸＩＩＩＢ線断面図
【図２４】  前記実施の形態８におけるアタッチメントを示し、図２２の（Ｂ）中のＸＸＩＶ−ＸＸＩＶ線断面図
【図２５】  本発明の実施の形態９におけるアタッチメントを示し、（Ａ）は正面図、（Ｂ）は側面図
【図２６】  前記実施の形態９におけるアタッチメントを示し、（Ａ）は背面図、（Ｂ）は図２５の（Ａ）中のＸＸＶＩＢ−ＸＸＶＩＢ線断面図
【図２７】  前記実施の形態９におけるアタッチメントを示し、図２５の（Ｂ）中のＸＸＶＩＩ−ＸＸＶＩＩ線断面図
【図２８】  ＥＩＡラックへのＥＩＡ機器の従来の固定位置関係の説明図
【図２９】  ＪＩＳラックとＥＩＡ機器との位置関係の説明図
【符号の説明】
【００１６６】  １  アタッチメント
２    連結体
２Ｃ  対向側部分
４    ネジ挿通部
２Ｄ  対向側部分
１２  第一の雌ネジ
１３  第二の雌ネジ
Ｌ１  長さ
Ｌ２，Ｌ５  間隔
【図１】
2006135273.tif 000003
【図２】
2006135273.tif 000004
【図３】
2006135273.tif 000005
【図４】
2006135273.tif 000006
【図５】
2006135273.tif 000007
【図６】
2006135273.tif 000008
【図７】
2006135273.tif 000009
【図８】
2006135273.tif 000010
【図９】
2006135273.tif 000011
【図１０】
2006135273.tif 000012
【図１１】
2006135273.tif 000013
【図１２】
2006135273.tif 000014
【図１３】
2006135273.tif 000015
【図１４】
2006135273.tif 000016
【図１５】
2006135273.tif 000017
【図１６】
2006135273.tif 000018
【図１７】
2006135273.tif 000019
【図１８】
2006135273.tif 000020
【図１９】
2006135273.tif 000021
【図２０】
2006135273.tif 000022
【図２１】
2006135273.tif 000023
【図２２】
2006135273.tif 000024
【図２３】
2006135273.tif 000025
【図２４】
2006135273.tif 000026
【図２５】
2006135273.tif 000027
【図２６】
2006135273.tif 000028
【図２７】
2006135273.tif 000029
【図２８】
2006135273.tif 000030
【図２９】
2006135273.tif 000031